(57)【特許請求の範囲】
【請求項１】
複数の無線基地局および基地局連携装置から構成される無線基地局連携システムであって、
前記無線基地局は、
前記基地局連携装置と通信を行うインタフェースと、
自局のセル端に存在する端末へバッファリング可能な許容遅延時間のデータを送信する場合に、前記基地局連携装置に対して、当該端末に対する無線リソースの割り当てを要求する、現在時刻の情報を含む割当要求を生成し、当該基地局連携装置からの、前記現在時刻の情報に基づく送信フレーム番号を含む割当通知に基づいて、当該端末に対して無線リソースを予約するスケジュール手段と、
を備え、
前記基地局連携装置は、
前記無線基地局と通信を行うインタフェースと、
各無線基地局からの前記現在時刻の情報を含む割当要求に対して、セル端に存在する端末において、隣接する無線基地局によって干渉が生じないスケジューリングを行って無線リソースを割り当て、割り当てた結果を各無線基地局へ通知する、前記現在時刻の情報に基づく送信フレーム番号を含む割当通知を生成する連携スケジューラ手段と、
を備えることを特徴とする無線基地局連携システム。
【請求項２】
前記連携スケジューラ手段は、２つ以上のセル端に端末が存在する場合に、一つのセルを通信エリアとする無線基地局がデータを送信するタイミングでは、他のセルを通信エリアとする無線基地局がデータを送信しないスケジューリングを行う、
ことを特徴とする請求項１に記載の無線基地局連携システム。
【請求項３】
前記連携スケジューラ手段は、２つ以上のセル端に端末が存在する場合に、一つのセルを通信エリアとする無線基地局がデータを送信するタイミングにおいて、他のセルを通信エリアとする無線基地局も当該端末に対して同一データを送信するスケジューリングを行い、
当該端末にデータを送信する無線基地局のスケジュール手段は、当該端末がセル端に存在している他の無線基地局に対して、送信データを転送する制御を行い、
前記送信データを受信した無線基地局のスケジュール手段は、割り当てられたタイミングにおいて、受信したデータを前記端末へ送信する制御を行う、
ことを特徴とする請求項１に記載の無線基地局連携システム。
【請求項４】
複数の無線基地局および基地局連携装置から構成される無線基地局連携システムであって、
前記無線基地局は、
前記基地局連携装置と通信を行うインタフェースと、
自局のセル端に存在する端末へバッファリング可能な許容遅延時間のデータを送信する場合に、前記基地局連携装置に対して、当該端末に対する無線リソースの割り当てを要求する、現在時刻の情報を含む第１の割当要求を生成し、当該基地局連携装置からの、前記現在時刻の情報に基づく送信フレーム番号を含む第１の割当通知に基づいて、当該端末に対して無線リソースを予約するスケジュール手段と、
自局のセル端に存在する端末へバッファリングできない許容遅延時間の信号を送信する場合に、前記基地局連携装置に対して、当該端末に対する無線リソースの割り当てを要求する第２の割当要求を生成し、当該基地局連携装置からの第２の割当通知に基づいて、当該端末に対して周期的に無線リソースを予約する呼制御手段と、
を備え、
前記基地局連携装置は、
前記無線基地局と通信を行うインタフェースと、
各無線基地局からの前記現在時刻の情報を含む第１の割当要求に対して、セル端に存在する端末において、隣接する無線基地局によって干渉が生じないスケジューリングを行って無線リソースを割り当て、割り当てた結果を各無線基地局へ通知する、前記現在時刻の情報に基づく送信フレーム番号を含む第１の割当通知を生成し、また、各無線基地局からの第２の割当要求に対して、セル端に存在する端末において、隣接する無線基地局によって干渉が生じないスケジューリングを行って周期的に無線リソースを割り当て、割り当てた結果を各無線基地局へ通知する第２の割当通知を生成する連携リソース割当手段と、
を備えることを特徴とする無線基地局連携システム。
【請求項５】
前記連携リソース割当手段は、２つ以上のセル端に端末が存在する場合に、一つのセルを通信エリアとする無線基地局がデータを送信するタイミングでは、他のセルを通信エリアとする無線基地局がデータを送信しないスケジューリングを行う、
ことを特徴とする請求項４に記載の無線基地局連携システム。
【請求項６】
前記連携リソース割当手段は、２つ以上のセル端に端末が存在する場合に、一つのセルを通信エリアとする無線基地局がデータを送信するタイミングにおいて、他のセルを通信エリアとする無線基地局も当該端末に対して同一データを送信するスケジューリングを行い、
当該端末にデータを送信する無線基地局のスケジュール手段は、当該端末がセル端に存在している他の無線基地局に対して、送信データを転送する制御を行い、
前記送信データを受信した無線基地局のスケジュール手段は、割り当てられたタイミングにおいて、受信したデータを前記端末へ送信する制御を行う、
ことを特徴とする請求項４に記載の無線基地局連携システム。
【請求項７】
前記連携リソース割当手段は、２つ以上のセル端に端末が存在する場合に、一つのセルを通信エリアとする無線基地局が周期的に信号を送信するタイミングおよび周波数では、他のセルを通信エリアとする無線基地局が信号を送信しないスケジューリングを行う、
ことを特徴とする請求項４、５または６に記載の無線基地局連携システム。
【請求項８】
前記連携リソース割当手段は、２つ以上のセル端に端末が存在する場合に、一つのセルを通信エリアとする無線基地局が周期的に信号を送信するタイミングおよび周波数において、他のセルを通信エリアとする無線基地局も当該端末に対して同一タイミングおよび同一周波数で同一信号を送信するスケジューリングを行い、
当該端末に信号を送信する無線基地局の呼制御手段は、当該端末がセル端に存在している他の無線基地局に対して、周期的に送信信号を転送する制御を行い、
前記送信信号を受信した無線基地局の呼制御手段は、割り当てられたタイミングおよび周波数において、受信した信号を前記端末へ周期的に送信する制御を行う、
ことを特徴とする請求項４、５または６に記載の無線基地局連携システム。
【請求項９】
複数の無線基地局および基地局連携装置から構成される無線基地局連携システムにおける前記無線基地局であって、
前記基地局連携装置と通信を行うインタフェースと、
自局のセル端に存在する端末へバッファリング可能な許容遅延時間のデータを送信する場合に、前記基地局連携装置に対して、当該端末に対する無線リソースの割り当てを要求する、現在時刻の情報を含む割当要求を生成し、当該基地局連携装置からの、前記現在時刻の情報に基づく送信フレーム番号を含む割当通知に基づいて、当該端末に対して無線リソースを予約するスケジュール手段と、
を備えることを特徴とする無線基地局。
【請求項１０】
前記基地局連携装置が、２つ以上のセル端に端末が存在し、一つのセルを通信エリアとする無線基地局がデータを送信するタイミングにおいて、他のセルを通信エリアとする無線基地局も当該端末に対して同一データを送信するスケジューリングを行う場合に、
当該端末にデータを送信する無線基地局のスケジュール手段は、当該端末がセル端に存在している他の無線基地局に対して、送信データを転送する制御を行い、
前記送信データを受信した無線基地局のスケジュール手段は、割り当てられたタイミングにおいて、受信したデータを前記端末へ送信する制御を行う、
ことを特徴とする請求項９に記載の無線基地局。
【請求項１１】
複数の無線基地局および基地局連携装置から構成される無線基地局連携システムにおける前記無線基地局であって、
前記基地局連携装置と通信を行うインタフェースと、
自局のセル端に存在する端末へバッファリング可能な許容遅延時間のデータを送信する場合に、前記基地局連携装置に対して、当該端末に対する無線リソースの割り当てを要求する、現在時刻の情報を含む第１の割当要求を生成し、当該基地局連携装置からの、前記現在時刻の情報に基づく送信フレーム番号を含む第１の割当通知に基づいて、当該端末に対して無線リソースを予約するスケジュール手段と、
自局のセル端に存在する端末へバッファリングできない許容遅延時間の信号を送信する場合に、前記基地局連携装置に対して、当該端末に対する無線リソースの割り当てを要求する第２の割当要求を生成し、当該基地局連携装置からの第２の割当通知に基づいて、当該端末に対して周期的に無線リソースを予約する呼制御手段と、
を備えることを特徴とする無線基地局。
【請求項１２】
前記基地局連携装置が、２つ以上のセル端に端末が存在し、一つのセルを通信エリアとする無線基地局がデータを送信するタイミングにおいて、他のセルを通信エリアとする無線基地局も当該端末に対して同一データを送信するスケジューリングを行う場合に、
当該端末にデータを送信する無線基地局のスケジュール手段は、当該端末がセル端に存在している他の無線基地局に対して、送信データを転送する制御を行い、
前記送信データを受信した無線基地局のスケジュール手段は、割り当てられたタイミングにおいて、受信したデータを前記端末へ送信する制御を行う、
ことを特徴とする請求項１１に記載の無線基地局。
【請求項１３】
前記基地局連携装置が、２つ以上のセル端に端末が存在し、一つのセルを通信エリアとする無線基地局が周期的に信号を送信するタイミングおよび周波数において、他のセルを通信エリアとする無線基地局も当該端末に対して同一タイミングおよび同一周波数で同一信号を送信するスケジューリングを行う場合に、
当該端末に信号を送信する無線基地局の呼制御手段は、当該端末がセル端に存在している他の無線基地局に対して、周期的に送信信号を転送する制御を行い、
前記送信信号を受信した無線基地局の呼制御手段は、割り当てられたタイミングおよび周波数において、受信した信号を前記端末へ周期的に送信する制御を行う、
ことを特徴とする請求項１１または１２に記載の無線基地局。
【請求項１４】
複数の無線基地局と無線基地局連携システムを構成する基地局連携装置であって、
前記無線基地局と通信を行うインタフェースと、
各無線基地局からの現在時刻の情報を含む割当要求に対して、セル端に存在する端末において、隣接する無線基地局によって干渉が生じないスケジューリングを行って無線リソースを割り当て、割り当てた結果を各無線基地局へ通知する、前記現在時刻の情報に基づく送信フレーム番号を含む割当通知を生成する連携スケジューラ手段と、
を備えることを特徴とする基地局連携装置。
【請求項１５】
前記連携スケジューラ手段は、２つ以上のセル端に端末が存在する場合に、一つのセルを通信エリアとする無線基地局がデータを送信するタイミングでは、他のセルを通信エリアとする無線基地局がデータを送信しないスケジューリングを行う、
ことを特徴とする請求項１４に記載の基地局連携装置。
【請求項１６】
前記連携スケジューラ手段は、２つ以上のセル端に端末が存在する場合に、一つのセルを通信エリアとする無線基地局がデータを送信するタイミングにおいて、他のセルを通信エリアとする無線基地局も当該端末に対して同一データを送信するスケジューリングを行う、
ことを特徴とする請求項１４に記載の基地局連携装置。
【請求項１７】
複数の無線基地局と無線基地局連携システムを構成する基地局連携装置であって、
前記無線基地局と通信を行うインタフェースと、
各無線基地局からの現在時刻の情報を含む第１の割当要求に対して、セル端に存在する端末において、隣接する無線基地局によって干渉が生じないスケジューリングを行って無線リソースを割り当て、割り当てた結果を各無線基地局へ通知する、前記現在時刻の情報に基づく送信フレーム番号を含む第１の割当通知を生成し、また、各無線基地局からの第２の割当要求に対して、セル端に存在する端末において、隣接する無線基地局によって干渉が生じないスケジューリングを行って周期的に無線リソースを割り当て、割り当てた結果を各無線基地局へ通知する第２の割当通知を生成する連携リソース割当手段と、
を備えることを特徴とする基地局連携装置。
【請求項１８】
前記連携リソース割当手段は、２つ以上のセル端に端末が存在する場合に、一つのセルを通信エリアとする無線基地局がデータを送信するタイミングでは、他のセルを通信エリアとする無線基地局がデータを送信しないスケジューリングを行う、
ことを特徴とする請求項１７に記載の基地局連携装置。
【請求項１９】
前記連携リソース割当手段は、２つ以上のセル端に端末が存在する場合に、一つのセルを通信エリアとする無線基地局がデータを送信するタイミングにおいて、他のセルを通信エリアとする無線基地局も当該端末に対して同一データを送信するスケジューリングを行う、
ことを特徴とする請求項１７に記載の基地局連携装置。
【請求項２０】
前記連携リソース割当手段は、２つ以上のセル端に端末が存在する場合に、一つのセルを通信エリアとする無線基地局が周期的に信号を送信するタイミングおよび周波数では、他のセルを通信エリアとする無線基地局が信号を送信しないスケジューリングを行う、
ことを特徴とする請求項１７、１８または１９に記載の基地局連携装置。
【請求項２１】
前記連携リソース割当手段は、２つ以上のセル端に端末が存在する場合に、一つのセルを通信エリアとする無線基地局が周期的に信号を送信するタイミングおよび周波数において、他のセルを通信エリアとする無線基地局も当該端末に対して同一タイミングおよび同一周波数で同一信号を送信するスケジューリングを行う、
ことを特徴とする請求項１７、１８または１９に記載の基地局連携装置。
【発明の詳細な説明】
【技術分野】
【０００１】
本発明は、無線基地局配下の端末に無線リソースを割り当てる無線基地局連携システムに関する。
【背景技術】
【０００２】
移動体セルラ通信において、高速データレートのカバレッジ拡大と、セルエッジスループットおよびシステムスループット向上のための技術検討が、３ＧＰＰにて行われている。この技術は、基地局連携送受信技術（Coordinated  Multi-Point  （ＣｏＭＰ）  transmission/reception）と呼ばれており、ＬＴＥ−Ａｄｖａｎｃｅｄ（４Ｇセルラ）をターゲットとしている。
【０００３】
ＣｏＭＰには、大きく、ＪＰ（Joint  Processing）とＣＳ／ＣＢ（Coordinated  Scheduling/Beamforming）の２つに分類できる。また、ＪＰは、１つの端末向けのデータが複数の基地局から常に同時に送信されるＪｏｉｎｔ  Ｔｒａｎｓｍｉｓｓｉｏｎと、ある時刻では１つの端末向けのデータが１つの基地局からデータ送信されるが、送信する基地局が高速に変化するＤｙｎａｍｉｃ  Ｃｅｌｌ  Ｓｅｌｅｃｔｉｏｎ、の２種類に分類することができる。ＣＳ／ＣＢは、データは端末が接続している基地局からのみ常に送信されるが、割当周波数およびタイミングの決定は基地局間で調整の上決定されている。
【０００４】
ＣｏＭＰについて、下記特許文献１では、割当周波数およびタイミングを基地局間で決定する連携スケジューラ部が、基地局内スケジューラ部が連携し、基地局内スケジューラ部からの連携スケジューリング要請に基づいて、優先度の高い端末を選択し、マルチユーザＭＩＭＯ伝送可否やシングルユーザ伝送可否を判断し、選択した端末に対するスケジューリング結果を基地局内スケジューラに通知する技術が開示されている。
【０００５】
また、下記非特許文献１では、中央基地局と、中央基地局と光ファイバで接続されているリモート基地局とが連携送受信を実施し、中央基地局とリモート基地局間の無線信号を光ファイバで伝送するので伝送遅延を無視できることから、各基地局への無線リソースの割り当ては中央基地局内のスケジューラで集中的に実施する技術が開示されている。
【先行技術文献】
【特許文献】
【０００６】
【特許文献１】国際公開第２０１０−０８７０３０号
【非特許文献】
【０００７】
【非特許文献１】西川大祐、岸山祥久、森本彰人、丹野元博、樋口健一、佐和橋衛著  「ＬＴＥ−Ａｄｖａｎｃｅｄにおけるマルチセル協調送受信技術の検討」２００８年電子情報通信学会通信ソサイエティ大会  Ｂ−５−１３
【発明の概要】
【発明が解決しようとする課題】
【０００８】
しかしながら、上記従来の技術（特許文献１）によれば、基地局と連携スケジューラ部との間は光ファイバ等を用いた有線接続あるいは無線接続を想定しているが、装置間の伝送遅延時間について考慮されていない。そのため、伝送遅延時間が揺らいだ場合、複数基地局がタイミングを合わせてスケジューリングできない、という問題があった。
【０００９】
また、上記従来の技術（非特許文献１）によれば、中央基地局とリモート基地局間は無線信号を光ファイバで伝送する前提である。そのため、多数の独立した小型基地局を安価なイーサネット（登録商標）等で接続し配置してサービスエリアを実現する構成への適用はできない、という問題があった。
【００１０】
本発明は、上記に鑑みてなされたものであって、独立した基地局構成において、基地局間の制御信号の伝送に遅延があっても、基地局間において連携したスケジューリングが可能な無線基地局連携システムを得ることを目的とする。
【課題を解決するための手段】
【００１１】
上述した課題を解決し、目的を達成するために、本発明は、複数の無線基地局および基地局連携装置から構成される無線基地局連携システムであって、前記無線基地局は、前記基地局連携装置と通信を行うインタフェースと、自局のセル端に存在する端末へバッファリング可能な許容遅延時間のデータを送信する場合に、前記基地局連携装置に対して、当該端末に対する無線リソースの割り当てを要求する割当要求を生成し、当該基地局連携装置からの割当通知に基づいて、当該端末に対して無線リソースを予約するスケジュール手段と、を備え、前記基地局連携装置は、前記無線基地局と通信を行うインタフェースと、各無線基地局からの割当要求に対して、セル端に存在する端末において、隣接する無線基地局によって干渉が生じないスケジューリングを行って無線リソースを割り当て、割り当てた結果を各無線基地局へ通知する割当通知を生成する連携スケジューラ手段と、を備えることを特徴とする。
【発明の効果】
【００１２】
本発明によれば、独立した基地局構成において、基地局間の制御信号の伝送に遅延があっても、基地局間において連携したスケジューリングができる、という効果を奏する。
【図面の簡単な説明】
【００１３】
【図１】図１は、無線基地局連携システムの構成例を示す図である。
【図２】図２は、無線基地局の構成例を示す図である。
【図３】図３は、基地局連携装置の構成例を示す図である。
【図４】図４は、無線基地局のスケジューリング処理を示すフローチャートである。
【図５】図５は、連携スケジューリング要求処理を示すフローチャートである。
【図６】図６は、連携スケジューリング結果反映処理を示すフローチャートである。
【図７】図７は、個別スケジューリング処理を示すフローチャートである。
【図８】図８は、基地局連携装置の連携スケジューリング処理を示すフローチャートである。
【図９】図９は、割当通知の構成例を示す図である。
【図１０】図１０は、無線基地局連携システムにおける連携処理を示すシーケンス図である。
【図１１】図１１は、各無線基地局に対する無線リソースの割り当てを示す図である。
【図１２】図１２は、割当通知の構成例を示す図である。
【図１３】図１３は、無線基地局連携システムにおける連携処理を示すシーケンス図である。
【図１４】図１４は、各無線基地局に対する無線リソースの割り当てを示す図である。
【図１５】図１５は、無線基地局連携システムの構成例を示す図である。
【図１６】図１６は、無線基地局の構成例を示す図である。
【図１７】図１７は、基地局連携装置の構成例を示す図である。
【図１８】図１８は、無線基地局の呼制御処理を示すフローチャートである。
【図１９】図１９は、連携リソース割当要求処理を示すフローチャートである。
【図２０】図２０は、連携リソース割当結果反映処理を示すフローチャートである。
【図２１】図２１は、個別スケジューリング処理を示すフローチャートである。
【図２２】図２２は、基地局連携装置の連携リソース割当処理を示すフローチャートである。
【図２３】図２３は、無線基地局連携システムにおける連携処理を示すシーケンス図である。
【図２４】図２４は、各無線基地局に対する無線リソースの割り当てを示す図である。
【図２５】図２５は、無線基地局連携システムにおける連携処理を示すシーケンス図である。
【図２６】図２６は、各無線基地局に対する無線リソースの割り当てを示す図である。
【発明を実施するための形態】
【００１４】
以下に、本発明にかかる無線基地局連携システムの実施の形態を図面に基づいて詳細に説明する。なお、この実施の形態によりこの発明が限定されるものではない。
【００１５】
実施の形態１．
図１は、無線基地局連携システムの構成例を示す図である。無線基地局連携システムは、無線基地局１００ａ、１００ｂと、基地局連携装置２００と、を備える。また、端末３００ａ、３００ｂは、いずれかの無線基地局との間でデータ信号の送受信を行う。なお、いずれかの無線基地局を特定しない場合には無線基地局１００とすることがあり、いずれかの端末を特定しない場合には端末３００とすることがある。
【００１６】
無線基地局１００ａ、１００ｂは、基地局連携装置２００と連携し、端末３００との間でデータ信号の送受信を行う。
【００１７】
基地局連携装置２００は、無線基地局１００ａ、１００ｂと連携し、セル端にいる端末３００に対してスケジューリングを行い、データ信号用の無線リソース割り当てを行う。
【００１８】
つぎに、無線基地局１００ａ、１００ｂの構成について説明する。図２は、無線基地局１００ａの構成例を示す図である。一例として無線基地局１００ａについて説明するが、無線基地局１００ｂも同様の構成である。無線基地局１００ａは、有線側Ｉ／Ｆ部１０１と、連携制御信号分離多重部１０２と、ＭＡＣ（Media  Access  Control）部１０３と、ＰＨＹ部１０４と、スケジューラ部１０５と、を備える。
【００１９】
有線側Ｉ／Ｆ部１０１は、上位のネットワーク装置（基地局連携装置２００を含む）と接続するためのインタフェースである。連携制御信号分離多重部１０２は、連携スケジューリング情報を分離多重する。ＭＡＣ部１０３は、ＭＡＣレイヤを実現する。ＰＨＹ部１０４は、無線の物理レイヤを実現する。スケジューラ部１０５は、基地局連携装置２００と連携し、自局の配下の端末３００に無線リソースの割り当てを行う。スケジューラ部１０５が生成する割当要求等の制御信号は、有線側Ｉ／Ｆ部１０１および連携制御信号分離多重部１０２経由で行われる。
【００２０】
つぎに、基地局連携装置２００の構成について説明する。図３は、基地局連携装置２００の構成例を示す図である。基地局連携装置２００は、有線側Ｉ／Ｆ部２０１と、連携スケジューラ部２０２と、を備える。
【００２１】
有線側Ｉ／Ｆ部２０１は、無線基地局１００ａ、１００ｂと接続するためのインタフェースである。連携スケジューラ部２０２は、無線基地局１００ａ、１００ｂ内のスケジューラ部１０５と連携し、セル端にいる端末３００のスケジューリングを行う。
【００２２】
つづいて、無線基地局１００ａのスケジューリング処理について説明する。図４は、無線基地局１００ａのスケジューリング処理を示すフローチャートである。なお、一例として、無線基地局１００ａについて説明するが、無線基地局１００ｂも同様の処理を行う。
【００２３】
まず、無線基地局１００ａでは、スケジューラ部１０５が、連携スケジューリング要求処理を行う（ステップＳ４０１）。具体的には、スケジューラ部１０５が、配下の端末３００がセル端に存在しているか、トラヒックの遅延は閾値以上か等の状態を判定し、判定した内容に基づいて基地局連携装置２００への割当要求を生成し、送信する。
【００２４】
つぎに、無線基地局１００ａでは、スケジューラ部１０５が、連携スケジューリング結果反映処理を行う（ステップＳ４０２）。具体的には、スケジューラ部１０５が、割当要求に対する応答として受信した基地局連携装置２００から受信した割当通知に基づいて、リソースの予約を行う。
【００２５】
そして、無線基地局１００ａでは、スケジューラ部１０５が、個別スケジューリング処理を行う（ステップＳ４０３）。具体的には、スケジューラ部１０５が、連携スケジューリング対象外の端末３００に対するスケジューリングを行う。
【００２６】
つづいて、無線基地局１００ａにおける上記連携スケジューリング要求処理（ステップＳ４０１）について詳細に説明する。図５は、連携スケジューリング要求処理を示すフローチャートである。
【００２７】
まず、スケジューラ部１０５では、ループ１の処理として、配下の個々の端末３００について以下の確認を行う（ステップＳ５０１）。スケジューラ部１０５は、対象の端末３００が、自局のセル境界に存在するか否かを判定する（ステップＳ５０２）。判定方法は、アンテナに指向性がある場合には、端末３００から受信する信号強度を閾値判定し、どの無線基地局１００との境界に存在するのかを判定する方法があるが、これに限定するものではない。例えば、スケジューラ部１０５では、信号強度から端末３００がセル端に存在することのみを判定し、基地局連携装置２００が、複数の無線基地局１００から同一端末３００がセル端に存在しているという情報に基づいて、当該端末３００がどの無線基地局１００とどの無線基地局１００との境界に存在しているのかを判定してもよい。
【００２８】
対象の端末３００がセル境界に存在する場合（ステップＳ５０２：Ｙｅｓ）、スケジューラ部１０５は、その対象の端末３００へ送信するトラヒックに許容される遅延時間が、閾値Ｔｔｈ以上か否かを判定する（ステップＳ５０３）。許容される遅延時間は、自局で端末を収容する時点、あるいはユーザがアプリケーションを起動する時点で自局に通知されることを前提とするが、他の方法であってもよい。
【００２９】
トラヒックに許容される遅延時間が閾値Ｔｔｈ以上の場合（ステップＳ５０３：Ｙｅｓ）、スケジューラ部１０５は、その対象の端末３００を、無線基地局１００間で連携スケジューリングが必要な端末３００としてマークし、かつ、現在時刻Ｔｃｕｒを記憶する（ステップＳ５０４）。
【００３０】
スケジューラ部１０５は、上記ステップＳ５０２〜Ｓ５０４までの処理を、配下の全端末３００に対し繰り返し実行する（ステップＳ５０５）。なお、対象の端末３００がセル境界に存在しない場合（ステップＳ５０２：Ｎｏ）はステップＳ５０３、Ｓ５０４を、トラヒックに許容される遅延時間が閾値Ｔｔｈ未満の場合（ステップＳ５０３：Ｎｏ）はステップＳ５０４を、それぞれ省略する。スケジューラ部１０５は、配下の全端末３００に対して上記ステップＳ５０２〜Ｓ５０４までの処理が終了していない場合には、対象の端末３００を変更して処理を行う。
【００３１】
配下の全端末３００に対して上記ステップＳ５０２〜Ｓ５０４までの処理が終了した場合（ステップＳ５０５）、スケジューラ部１０５は、マークした端末３００についてＴｃｕｒを含む割当要求を生成し、基地局連携装置２００に送信する（ステップＳ５０６）。
【００３２】
つぎに、無線基地局１００ａにおける上記連携スケジューリング結果反映処理（ステップＳ４０２）について詳細に説明する。図６は、連携スケジューリング結果反映処理を示すフローチャートである。スケジューラ部１０５では、基地局連携装置２００から送信フレーム番号を含む割当通知を受信すると（ステップＳ６０１）、送信フレーム番号で指定される時刻に割当通知で指定された無線リソースを予約する（ステップＳ６０２）。
【００３３】
つぎに、無線基地局１００ａにおける上記個別スケジューリング処理（ステップＳ４０３）について詳細に説明する。図７は、個別スケジューリング処理を示すフローチャートである。スケジューラ部１０５では、連携スケジューリング対象ではない端末３００に対し、既に連携スケジューリング結果反映処理（ステップＳ４０２、図６）で連携スケジューリング対象の端末３００に予約している無線リソース以外の残帯域を用いて無線リソースの割り当てを行う（ステップＳ７０１）。そして、無線基地局１００ａでは、連携スケジューリング対象の端末３００と連携スケジューリング対象ではない端末３００を含め、実際に端末３００にデータ信号を送信する（ステップＳ７０２）。
【００３４】
つづいて、各無線基地局１００から割当要求を受けた基地局連携装置２００の連携スケジューリング処理について説明する。図８は、基地局連携装置２００の連携スケジューリング処理を示すフローチャートである。
【００３５】
まず、基地局連携装置２００では、有線側Ｉ／Ｆ部２０１で各無線基地局１００から割当要求を受信すると（ステップＳ８０１）、連携スケジューラ部２０２が、Ｔｃｕｒを含む割当要求に基づいて連携スケジューリング対象の端末３００を抽出する。ここで、連携スケジューラ部２０２は、割当要求にどの無線基地局１００との境界（セル端）にどの端末３００が存在しているという情報が含まれている場合には、そのまま使用し、割当要求の情報が単にセル端に端末３００が存在しているという場合には、自身で２つ以上の割当要求を用いて各端末３００が境界（セル端）に存在している無線基地局１００を特定する。
【００３６】
そして、各セル境界について、ループ２の処理（ステップＳ８０３〜Ｓ８０５）として、複数の無線基地局１００からの割当要求がある場合には、連携スケジューラ部２０２が、当該セル境界の全ての端末３００を対象に無線リソースを重ならないように割り当てる（ステップＳ８０４）。これらの処理をループ１の処理（ステップＳ８０２〜Ｓ８０６）として、全てのセル境界に対して実施する。そして、ループ１の処理終了後（ステップＳ８０６）、連携スケジューラ部２０２は、割当結果として各無線基地局１００に対して送信フレーム番号を含む割当通知を生成し、有線側Ｉ／Ｆ部２０１から通知する（ステップＳ８０７）。送信フレーム番号は、Ｔｃｕｒに固定値ＴΔを加算した値とする。
【００３７】
図９は、基地局連携装置２００が、各無線基地局１００に送信する割当通知の構成例を示す図である。システム帯域において、各無線基地局１００に対して割り当てられた端末３００または送信停止の帯域を示すものである。基地局連携装置２００では、前述のステップＳ８０１の処理に基づいて、各無線基地局１００とセル端に存在している各端末３００との関係を把握している。そのため、基地局連携装置２００では、端末３００ａと端末３００ｂにそれぞれ異なる周波数を割り当てるとともに、干渉とならないように相対する無線基地局１００へは送信停止帯域として設定する。これらの結果を各無線基地局１００ａ、１００ｂに割当通知として通知する。図９に示すように、無線基地局１００ａが端末３００ａにデータを送信するときは、無線基地局１００ｂが送信を停止する。また、無線基地局１００ｂが端末３００ｂにデータを送信するときは、無線基地局１００ａが送信を停止する。
【００３８】
つづいて、図１に示す無線基地局連携システムにおける連携処理について説明する。図１０は、無線基地局連携システムにおける連携処理を示すシーケンス図である。ここでは、無線基地局１００ａだけがデータを受信した場合について説明する。
【００３９】
まず、無線基地局１００ａが、図示しない上位装置等から端末３００ａ宛のデータを受信すると（ステップＳ１００１）、連携スケジューリング要求処理を行い（ステップＳ１００２）、割当要求を基地局連携装置２００へ送信する（ステップＳ１００３）。詳細な処理については前述の図４、５のフローチャートに示すとおりである。
【００４０】
基地局連携装置２００では、割当要求を受信すると連携スケジューリング処理を行い（ステップＳ１００４）、割当結果である割当通知を無線基地局１００ａへ送信し（ステップＳ１００５）、また、割当通知を無線基地局１００ｂへ送信する（ステップＳ１００６）。詳細な処理については前述の図８のフローチャートに示すとおりである。
【００４１】
無線基地局１００ａでは、割当通知を受信すると、連携スケジューリング結果反映処理を行い（ステップＳ１００７ａ）、その後、個別スケジューリング処理を行う（ステップＳ１００８ａ）。そして、無線基地局１００ａは、割り当てられたシステム帯域で、端末３００ａへデータを送信する（ステップＳ１００９）。
【００４２】
一方、無線基地局１００ｂでは、割当通知を受信すると、連携スケジューリング結果反映処理を行い（ステップＳ１００７ｂ）、その後、個別スケジューリング処理を行う（ステップＳ１００８ｂ）。そして、無線基地局１００ｂは、システム帯域が割り当てられていないとして、端末３００ｂへはデータを送信しない（ステップＳ１０１０）。
【００４３】
ここで、具体的な無線リソースの割り当て方について説明する。図１１は、各無線基地局１００に対する無線リソースの割り当てを示す図である。Ｗｅｂ  Ｂｒｏｗｓｉｎｇといった遅延要求の緩やかなトラヒックについては、数十ｍｓの遅延が付与されてもアプリケーショントラヒックには大きな影響はない。そのため、データを送信する無線基地局１００ａは一度データ信号を溜め込み、基地局連携装置２００が、割当要求に基づいて数十ｍｓ後のタイミングで送信することを決め、決めたタイミングを各無線基地局１００に通知する。そして、通知を受けた無線基地局１００ｂは、そのタイミングを避けて、配下の端末３００へのリソース割当を行う。図９との関係において、図１１の無線基地局１００ａ宛で示されている斜線の部分が、図９の端末３００ａの部分に該当し、図１１の無線基地局１００ｂ宛で示されている空白部分が、図９の無線基地局１００ｂ宛の送信停止に該当する。
【００４４】
なお、無線基地局１００ａは、データを一時的に溜め込む（バッファリングする）ことになるが、スケジューラ部１０５は、図示しない記憶部等にバッファリングしてもよいし、自身がバッファ部を備えてバッファリングしてもよい。
【００４５】
以上説明したように、本実施の形態では、Ｗｅｂ  Ｂｒｏｗｓｉｎｇといった遅延要求の緩やかなトラヒックについて、基地局連携装置２００が、各無線基地局１００からの割当要求に基づいて、セル端の端末３００にデータを送信する無線基地局１００に帯域を割り当て、データを受信する端末３００において干渉となる異なる無線基地局１００からの送信を停止することとした。これにより、端末３００における受信品質の向上を図ることができ、システムスループットを向上させることが可能となる。
【００４６】
実施の形態２．
実施の形態１では、Ｃｏｏｒｄｉｎａｔｅｄ  Ｓｃｈｅｄｕｌｉｎｇにて、干渉となる信号を送信停止するようにした。本実施の形態では、Ｊｏｉｎｔ  Ｐｒｏｃｅｓｓｉｎｇにて同一信号を複数の無線基地局１００から同一端末３００に送信する。実施の形態１と異なる部分について説明する。
【００４７】
図１２は、基地局連携装置２００が、各無線基地局１００に送信する割当通知の構成例を示す図である。実施の形態１と異なり、送信停止の指示はなく、各無線基地局１００が同一端末３００へ同一信号を送信することを指示している。これを受信した無線基地局１００は、隣接する無線基地局１００へデータ信号を転送する。具体的に、無線基地局１００ａ、１００ｂは同一タイミングで端末１００ａへ同一データを送信し、つぎに、同一タイミングで端末１００ｂへ同一データを送信する。
【００４８】
上記処理をシーケンス図に基づいて説明する。図１３は、無線基地局連携システムにおける連携処理を示すシーケンス図である。ここでは、無線基地局１００ａだけがデータを受信した場合について説明する。
【００４９】
まず、無線基地局１００ａが、図示しない上位装置等から端末３００ａ宛のデータを受信すると（ステップＳ１３０１）、連携スケジューリング要求処理を行い（ステップＳ１３０２）、割当要求を基地局連携装置２００へ送信する（ステップＳ１３０３）。
【００５０】
基地局連携装置２００では、割当要求を受信すると連携スケジューリング処理を行い（ステップＳ１３０４）、割当通知を無線基地局１００ａへ送信し（ステップＳ１３０５）、また、割当通知を無線基地局１００ｂへ送信する（ステップＳ１３０６）。
【００５１】
無線基地局１００ａでは、割当通知を受信すると、端末３００ａに対して送信すべきデータを無線基地局１００ｂへ転送する（Ｓ１３０７）。このときのデータ転送は、スケジューラ部１０５の制御により行う。無線基地局１００ａは、その後、連携スケジューリング結果反映処理を行い（ステップＳ１３０８ａ）、個別スケジューリング処理を行う（ステップＳ１３０９ａ）。そして、無線基地局１００ａは、割り当てられたシステム帯域で、端末３００ａへデータを送信する（ステップＳ１３１０ａ）。
【００５２】
一方、無線基地局１００ｂでは、基地局連携装置２００から割当通知を受信し、無線基地局１００ａからデータを受信すると、連携スケジューリング結果反映処理を行い（ステップＳ１３０８ｂ）、個別スケジューリング処理を行う（ステップＳ１３０９ｂ）。そして、無線基地局１００ｂは、割り当てられたシステム帯域で、端末３００ａへデータを送信する（ステップＳ１３１０ｂ）。
【００５３】
ここで、具体的な無線リソースの割り当て方について説明する。図１４は、各無線基地局１００に対する無線リソースの割り当てを示す図である。無線基地局１００ｂにおいて、送信停止とされていた帯域について、無線基地局１００ａと同一端末３００ａ向けのデータを送信するように帯域を割り当てられている点が実施の形態１（図１１）と異なる。
【００５４】
以上説明したように、本実施の形態では、Ｗｅｂ  Ｂｒｏｗｓｉｎｇといった遅延要求の緩やかなトラヒックについて、基地局連携装置２００が、各無線基地局１００からの割当要求に基づいて、セル端の端末３００にデータを送信する無線基地局１００に帯域を割り当て、さらに、データを受信する端末３００において干渉となる異なる無線基地局１００から、同一タイミングで同一データを送信することとした。これにより、実施の形態１と同様、端末３００における受信品質の向上を図ることができ、システムスループットを向上させることが可能となる。
【００５５】
実施の形態３．
実施の形態１、２では、Ｗｅｂ  Ｂｒｏｗｓｉｎｇといった遅延要求の緩やかなトラヒックについては数十ｍｓの遅延が付与されてもアプリケーショントラヒックには大きな影響はないことを利用して、セルオーバラップエリアの端末３００への送信において、基地局連携装置２００が隣接する無線基地局１００間の送信タイミングを調整し、干渉を抑圧する連携スケジューリングをした。このとき、調整をしている間、データ信号は各無線基地局１００においてバッファリングされている。一方、送信するデータが音声信号のようなリアルタイム性が要求される場合は、許容される遅延時間が短く、バッファリングは困難である。
【００５６】
そのため、本実施の形態では、音声信号のような許容される遅延時間が短いトラヒックの場合に、基地局連携スケジューリングを行う方法について説明する。実施の形態１、２と異なる部分について説明する。
【００５７】
図１５は、無線基地局連携システムの構成例を示す図である。無線基地局連携システムは、無線基地局１００ｃ、１００ｄと、基地局連携装置２００ａと、を備える。また、端末３００ａ、３００ｂは、いずれかの無線基地局との間でデータ信号の送受信を行う。なお、いずれかの無線基地局を特定しない場合には無線基地局１００とすることがある。
【００５８】
無線基地局１００ｃ、１００ｄは、基地局連携装置２００ａと連携し、端末３００との間で音声信号の送受信を行う。
【００５９】
基地局連携装置２００ａは、無線基地局１００ｃ、１００ｄと連携し、セル端にいる端末３００に対してスケジューリングを行い、また、音声信号用の無線リソース割り当てを行う。
【００６０】
つぎに、無線基地局１００ｃ、１００ｄの構成について説明する。図１６は、無線基地局１００ｃの構成例を示す図である。一例として無線基地局１００ｃについて説明するが、無線基地局１００ｄも同様の構成である。無線基地局１００ｃは、有線側Ｉ／Ｆ部１０１と、連携制御信号分離多重部１０２と、ＭＡＣ部１０３と、ＰＨＹ部１０４と、スケジューラ部１０５と、呼制御部１０６と、を備える。呼制御部１０６は、図示しない上位装置からの発呼要求を処理する。呼制御部１０６が生成する割当要求等の制御信号は、有線側Ｉ／Ｆ部１０１および連携制御信号分離多重部１０２経由で行われる。なお、スケジューラ部１０５が生成する割当要求等の制御信号は、有線側Ｉ／Ｆ部１０１、連携制御信号分離多重部１０２、および呼制御部１０６経由で行われる。
【００６１】
つぎに、基地局連携装置２００ａの構成について説明する。図１７は、基地局連携装置２００ａの構成例を示す図である。基地局連携装置２００ａは、有線側Ｉ／Ｆ部２０１と、連携リソース割当部２０３と、を備える。連携リソース割当部２０３は、無線基地局１００ｃ、１００ｄ内のスケジューラ部１０５、またはスケジューラ部１０５および呼制御部１０６と連携し、セル端にいる端末３００のスケジューリングを行う。
【００６２】
つづいて、無線基地局１００ｃの呼制御処理について説明する。図１８は、無線基地局１００ｃの呼設定時の呼制御処理を示すフローチャートである。なお、一例として、無線基地局１００ｃについて説明するが、無線基地局１００ｄも同様の処理を行う。
【００６３】
まず、無線基地局１００ｃでは、呼制御部１０６が、連携リソース割当要求処理を行う（ステップＳ１８０１）。具体的には、呼制御部１０６が、配下の端末３００が、音声発呼を受信した場合に、セル端に存在している等の状態を判定し、判定した内容に基づいて基地局連携装置２００ａへの割当要求を生成し、送信する。なお、配下の端末３００がデータ信号を受信した場合には、実施の形態１と同様、スケジューラ部１０５が以降の処理を行う。
【００６４】
つぎに、無線基地局１００ｃでは、呼制御部１０６が、連携リソース割当結果反映処理を行う（ステップＳ１８０２）。具体的には、呼制御部１０６が、割当要求に対する応答として基地局連携装置２００ａから受信した割当通知に基づいて、リソースの予約を行う。
【００６５】
つづいて、無線基地局１００ｃにおける上記連携リソース割当要求処理（ステップＳ１８０１）について詳細に説明する。図１９は、連携リソース割当要求処理を示すフローチャートである。
【００６６】
音声信号については、その音声信号発生の周期性を利用して、半固定的なリソース割当が可能である。リソース割当のタイミングは、無線リソース管理にて半固定的に決定され、端末３００に通知される。これを利用して、次の手順にて連携処理を行う。
【００６７】
まず、呼制御部１０６では、音声発呼を受領し（ステップＳ１９０１：Ｙｅｓ）、その音声発呼がセル境界の端末３００宛の場合（ステップＳ１９０２：Ｙｅｓ）、割当要求を生成して、基地局連携装置２００ａへ送信する（ステップＳ１９０３）。
【００６８】
なお、音声発呼を受領していない場合（ステップＳ１９０１：Ｎｏ）、および、音声発呼を受領したが（ステップＳ１９０１：Ｙｅｓ）、その音声発呼がセル境界の端末３００宛でない場合（ステップＳ１９０２：Ｎｏ）、呼制御部１０６において割当要求を生成することなく処理を終了する。
【００６９】
つぎに、無線基地局１００ｃにおける上記連携リソース割当結果反映処理（ステップＳ１８０２）について詳細に説明する。図２０は、連携リソース割当結果反映処理を示すフローチャートである。無線基地局１００ｃの呼制御部１０６では、基地局連携装置２００ａから、自身が送信した割当要求に対応する割当通知を受信すると（ステップＳ２００１）、無線リソースとして、通知されたタイミングおよび周波数を将来にわたり予約を行う（ステップＳ２００２）。また、無線基地局１００ｄの呼制御部１０６では、基地局連携装置２００ａから、無線基地局１００ｃの呼制御部１０６が送信した割当要求に対応する割当通知を受信すると（ステップＳ２００１）、通知されたタイミングおよび周波数を将来にわたり予約し（ステップＳ２００２）、予約した帯域を除いて配下の端末に対して無線リソースの割り当てを行う。
【００７０】
つぎに、無線基地局１００ｃにおける個別スケジューリング処理について説明する。図２１は、個別スケジューリング処理を示すフローチャートである。無線基地局１００ｃでは、スケジューラ部１０５が、発生した音声トラヒックを呼制御部１０６で予約された無線リソースに割り当てる（ステップＳ２１０１）。また、その他のトラヒックについては残帯域を用いて無線リソースの割り当てを行う（ステップＳ２１０２）。そして、上記ステップＳ２１０１、Ｓ２１０２で割り当てた無線リソースで端末３００に音声信号やデータを送信する（ステップＳ２１０３）。同様に、無線基地局１００ｄも、スケジューラ部１０５が、呼制御部１０６で予約された無線リソースを除いた残帯域を用いて無線リソースの割り当てを行う（ステップＳ２１０２）。そして、割り当てた無線リソースで端末３００にデータを送信する（ステップＳ２１０３）。
【００７１】
つづいて、各無線基地局１００から割当要求を受けた基地局連携装置２００ａの連携リソース割当処理について説明する。図２２は、基地局連携装置２００ａの連携リソース割当処理を示すフローチャートである。
【００７２】
まず、基地局連携装置２００ａでは、有線側Ｉ／Ｆ部２０１で各無線基地局１００の呼制御部１０６から割当要求を受信すると（ステップＳ２２０１）、連携リソース割当部２０３が、当該割当要求に基づいて連携リソース対象の端末３００を抽出する。そして、各セル境界について、ループ２の処理（ステップＳ２２０３〜Ｓ２２０５）として、複数の端末３００からの割当要求がある場合には、連携リソース割当部２０３が、当該セル境界の全ての端末３００を対象にセルオーバラップエリアの端末との音声信号のリソース割当タイミングおよび周波数を決定し、無線リソースが重ならないように割り当てる（ステップＳ２２０４）。これらの処理をループ１の処理（ステップＳ２２０２〜Ｓ２２０６）として、全てのセル境界に対して実施する。そして、ループ１の処理終了後（ステップＳ２２０６）、連携リソース割当部２０３は、割当結果としてタイミングと周波数について各無線基地局１００に対して割当通知を生成し、有線側Ｉ／Ｆ部２０１から通知する（ステップＳ２２０７）。
【００７３】
つづいて、図１５に示す各装置間における連携処理について説明する。図２３は、無線基地局連携システムにおける連携処理を示すシーケンス図である。ここでは、無線基地局１００ｃだけが音声発呼を受信した場合について説明する。
【００７４】
まず、無線基地局１００ｃが、図示しない上位装置等から端末３００ａ宛の音声発呼を受信すると（ステップＳ２３０１）、連携リソース割当要求処理を行い（ステップＳ２３０２）、割当要求を基地局連携装置２００ａへ送信する（ステップＳ２３０３）。詳細な処理については前述の図１８、１９のフローチャートに示すとおりである。
【００７５】
基地局連携装置２００ａでは、割当要求を受信すると連携リソース割当処理を行い（ステップＳ２３０４）、割当結果である割当通知を無線基地局１００ｃへ送信する（ステップＳ２３０５）。そして、無線基地局１００ｃが、割当要求を端末３００ａへ転送する（ステップＳ２３０６）。また、基地局連携装置２００ａは、割当通知を無線基地局１００ｄへ送信する（ステップＳ２３０７）。詳細な処理については前述の図２２のフローチャートに示すとおりである。
【００７６】
無線基地局１００ｃでは、割当通知を受信すると、連携リソース割当結果反映処理を行う（ステップＳ２３０８ａ）。同様に、無線基地局１００ｄでは、割当通知を受信すると、連携リソース割当結果反映処理を行う（ステップＳ２３０８ｂ）。ここまでの処理が、音声発呼時の処理である。
【００７７】
その後、音声信号送信時の処理として、無線基地局１００ｃが、図示しない上位装置等から端末３００ａ宛の音声信号を受信すると（ステップＳ２３０９）、無線基地局１００ｃは、個別スケジューリング処理を行う（ステップＳ２３１０ａ）。そして、無線基地局１００ｃは、割り当てられたタイミングと周波数で、端末３００ａへ音声信号を送信する（ステップＳ２３１１）。
【００７８】
一方、無線基地局１００ｄでは、個別スケジューリング処理を行うが（ステップＳ２３１０ｂ）、音声信号を送信することなく処理を終了する。
【００７９】
ここで、具体的な無線リソースの割り当て方について説明する。図２４は、各無線基地局１００に対する無線リソースの割り当てを示す図である。無線基地局１００ｃは、音声信号としてあらかじめ割り当てられたタイミングと周波数の無線リソースで端末３００ａと送受信を行い、無線基地局１００ｄは、あらかじめ割り当てられた無線リソースに対して干渉を与える周波数およびタイミングでは送信しない割り当てを行う。なお、セルオーバラップエリアの端末３００ａが音声通信をする場合について説明したが、端末３００ｂが音声通信する場合についても効果が得られる。すなわち、上りについて端末３００ｂにおける音声トラヒック受信への端末３００ａからの干渉を低減することができる。
【００８０】
以上説明したように、本実施の形態では、音声信号のように許容される遅延時間が短くバッファリングが困難なトラヒックに対しても、基地局連携装置２００ａが、各無線基地局１００からの割当要求に基づいて、セル端の端末３００に音声信号を送信する無線基地局１００に対してタイミングおよび周波数を決定し、音声信号を受信する端末３００において干渉となる異なる無線基地局１００からの送信を停止することとした。これにより、実施の形態１、２と同様、端末３００における受信品質の向上を図ることができ、システムスループットを向上させることが可能となる。
【００８１】
実施の形態４．
実施の形態３では、Ｃｏｏｒｄｉｎａｔｅｄ  Ｓｃｈｅｄｕｌｉｎｇにて、干渉となる信号を送信停止するようにした。本実施の形態では、Ｊｏｉｎｔ  Ｐｒｏｃｅｓｓｉｎｇにて同一信号を複数の無線基地局１００から同一端末３００に送信する。実施の形態３と異なる部分について説明する。
【００８２】
図２５は、無線基地局連携システムにおける連携処理を示すシーケンス図である。ここでは、無線基地局１００ｃだけが音声発呼を受信した場合について説明する。
【００８３】
まず、無線基地局１００ｃが、図示しない上位装置等から端末３００ａ宛の音声発呼を受信すると（ステップＳ２５０１）、連携リソース割当要求処理を行い（ステップＳ２５０２）、割当要求を基地局連携装置２００ａへ送信する（ステップＳ２５０３）。
【００８４】
基地局連携装置２００ａでは、割当要求を受信すると連携リソース割当処理を行い（ステップＳ２５０４）、割当結果である割当通知を無線基地局１００ｃへ送信する（ステップＳ２５０５）。そして、無線基地局１００ｃが、割当要求を端末３００ａへ転送する（ステップＳ２５０６）。また、基地局連携装置２００ａは、割当通知を無線基地局１００ｂへ送信する（ステップＳ２５０７）。
【００８５】
無線基地局１００ｃでは、割当通知を受信すると、連携リソース割当結果反映処理を行う（ステップＳ２５０８ａ）。同様に、無線基地局１００ｄでは、割当通知を受信すると、連携リソース割当結果反映処理を行う（ステップＳ２５０８ｂ）。ここまでの処理が、音声発呼時の処理である。
【００８６】
その後、音声信号送信時の処理として、無線基地局１００ｃが、図示しない上位装置等から端末３００ａ宛の音声信号を受信すると（ステップＳ２５０９）、無線基地局１００ｃは、音声信号を無線基地局１００ｄへ転送する（ステップＳ２５１０）。そして、無線基地局１００ｃは、個別スケジューリング処理を行い（ステップＳ２５１１ａ）、割り当てられたタイミングと周波数で端末３００ａへ音声信号を送信する（ステップＳ２５１２ａ）。
【００８７】
同様に、無線基地局１００ｄは、個別スケジューリング処理を行い（ステップＳ２５１１ｂ）、割り当てられたタイミングと周波数で端末３００ａへ音声信号を送信する（ステップＳ２５１２ｂ）。
【００８８】
ここで、具体的な無線リソースの割り当て方について説明する。図２６は、各無線基地局１００に対する無線リソースの割り当てを示す図である。ここでは、実施の形態３（図２４参照）と異なり、無線基地局１００ｄも、無線基地局１００ｃと同じタイミングおよび周波数で、同一の音声信号を端末３００ａへ送受信する。
【００８９】
以上説明したように、本実施の形態では、音声信号のように許容される遅延時間が短くバッファリングが困難なトラヒックに対しても、基地局連携装置２００ａが、各無線基地局１００からの割当要求に基づいて、セル端の端末３００に音声信号を送信する無線基地局１００に対してタイミングおよび周波数を決定し、さらに、音声信号を受信する端末３００において干渉となる異なる無線基地局１００から、同一音声信号を送信することとした。これにより、実施の形態３と同様、端末３００における受信品質の向上を図ることができ、システムスループットを向上させることが可能となる。
【符号の説明】
【００９０】
１００ａ、１００ｂ、１００ｃ、１００ｄ  無線基地局
１０１  有線側Ｉ／Ｆ部
１０２  連携制御信号分離多重部
１０３  ＭＡＣ部
１０４  ＰＨＹ部
１０５  スケジューラ部
１０６  呼制御部
２００、２００ａ  基地局連携装置
２０１  有線側Ｉ／Ｆ部
２０２  連携スケジューラ部
２０３  連携リソース割当部
３００ａ、３００ｂ  端末
【図１】
0005599354.tif 000002
【図２】
0005599354.tif 000003
【図３】
0005599354.tif 000004
【図４】
0005599354.tif 000005
【図５】
0005599354.tif 000006
【図６】
0005599354.tif 000007
【図７】
0005599354.tif 000008
【図８】
0005599354.tif 000009
【図９】
0005599354.tif 000010
【図１０】
0005599354.tif 000011
【図１１】
0005599354.tif 000012
【図１２】
0005599354.tif 000013
【図１３】
0005599354.tif 000014
【図１４】
0005599354.tif 000015
【図１５】
0005599354.tif 000016
【図１６】
0005599354.tif 000017
【図１７】
0005599354.tif 000018
【図１８】
0005599354.tif 000019
【図１９】
0005599354.tif 000020
【図２０】
0005599354.tif 000021
【図２１】
0005599354.tif 000022
【図２２】
0005599354.tif 000023
【図２３】
0005599354.tif 000024
【図２４】
0005599354.tif 000025
【図２５】
0005599354.tif 000026
【図２６】
0005599354.tif 000027